(57)【要約】【課題】緊急時に出力された用紙が放置されてしまうことを防止するようにした画像処理装置を提供する。【解決手段】画像処理装置の受付手段は、画像の出力指示を受け付け、第１の記憶処理手段は、出力指示を行った操作者を示す操作者情報と該出力指示の対象である出力対象情報を対応付けて記憶手段に記憶させるように処理し、出力手段は、出力指示に基づいて、画像を出力し、緊急時検知手段は、緊急時であるか否かを検知し、制御手段は、出力が開始された後に、緊急時であることが検知された場合は、出力を停止するように制御し、第２の記憶処理手段は、出力された枚数を前記操作者情報と前記出力対象情報に対応付けて前記記憶手段に記憶させるように処理し、取込手段は、出力された用紙を画像処理装置内に取り込む。【選択図】図１
2014107768.tif 000002
【特許請求の範囲】
【請求項１】
画像の出力指示を受け付ける受付手段と、
前記受付手段によって受け付けられた出力指示を行った操作者を示す操作者情報と該出力指示の対象である出力対象情報を対応付けて記憶手段に記憶させるように処理する第１の記憶処理手段と、
前記受付手段によって受け付けられた出力指示に基づいて、画像を出力する出力手段と、
緊急時であるか否かを検知する緊急時検知手段と、
前記出力手段によって出力が開始された後に、前記緊急検知手段によって緊急時であることが検知された場合は、該出力手段による出力を停止するように制御する制御手段と、
前記出力手段により出力された枚数を前記操作者情報と前記出力対象情報に対応付けて前記記憶手段に記憶させるように処理する第２の記憶処理手段と、
前記出力手段によって出力された用紙を画像処理装置内に取り込む取込手段
を具備することを特徴とする画像処理装置。
【請求項２】
前記出力手段によって出力が完了したときから予め定められた期間を過ぎた後に、該出力された用紙が、該出力された用紙を受ける出力用紙受部から排除されているか否かを検知する用紙検知手段
をさらに具備し、
前記用紙検知手段によって用紙が排除されていないと検知された場合は、前記第２の記憶処理手段と前記取込手段による処理を行う
ことを特徴とする請求項１に記載の画像処理装置。
【請求項３】
操作者を認証する認証手段と、
前記認証手段によって認証された操作者の操作者情報が前記記憶手段に記憶されている場合は、前記取込手段によって取り込まれた用紙を排出する排出手段と、
前記第２の記憶処理手段によって記憶された情報に基づいて、前記操作者情報に対応して前記記憶手段に記憶された出力対象情報を前記出力手段に出力させるように制御する第２の制御手段
を具備することを特徴とする請求項１又は２に記載の画像処理装置。
【請求項４】
コンピュータを、
画像の出力指示を受け付ける受付手段と、
前記受付手段によって受け付けられた出力指示を行った操作者を示す操作者情報と該出力指示の対象である出力対象情報を対応付けて記憶手段に記憶させるように処理する第１の記憶処理手段と、
前記受付手段によって受け付けられた出力指示に基づいて、画像を出力する出力手段と、
緊急時であるか否かを検知する緊急時検知手段と、
前記出力手段によって出力が開始された後に、前記緊急検知手段によって緊急時であることが検知された場合は、該出力手段による出力を停止するように制御する制御手段と、
前記出力手段により出力された枚数を前記操作者情報と前記出力対象情報に対応付けて前記記憶手段に記憶させるように処理する第２の記憶処理手段と、
前記出力手段によって出力された用紙を画像処理装置内に取り込む取込手段
として機能させるための画像処理プログラム。
【発明の詳細な説明】
【技術分野】
【０００１】
本発明は、画像処理装置及び画像処理プログラムに関する。
【背景技術】
【０００２】
特許文献１には、地震による揺れを検知してからセキュリティ行動を開始しても、突発的な地震に対してあまり有効ではないことを課題とし、ＭＦＰは、地震発生情報検知部にて緊急地震速報を受信すると、異常時判断処理部から印刷処理部に対して画像の形成や印刷の停止を指示し、また、転送処理部に対して保存済みのデータの転送を指示し、安全な場所にデータを退避させ、合わせて、操作パネルに緊急地震速報を表示し、ユーザの対処行動を促すことが開示されている。
【０００３】
特許文献２には、地震の到達に備えた対応が可能であることはもちろんのこと、地震の到達に備えて単に装置の動作を停止させた場合における読込動作中の原稿の破損や、画像形成動作中の用紙が機内に残存することに起因した二次的な障害といった不具合が発生するのを回避することが可能な画像形成装置の緊急停止装置を提供することを課題とし、地震発生時に、各地における地震の主要動の予想到達時刻及び予想震度を推定し、推定される予想到達時刻及び予想震度を通知する緊急地震通報を受信する受信手段と、前記受信手段によって受信された緊急地震通報の予想到達時刻及び予想震度のデータに基づいて、当該地震の予想震度及び予想到達時刻に応じて、画像形成装置の緊急停止動作を実行する緊急停止動作実行手段とを備えることが開示されている。
【０００４】
特許文献３には、ネットワーク接続された画像形成装置を、地震発生時に管理装置によって的確に管理して、内部情報の漏洩や不測の事態の発生を防止することを課題とし、外部から少なくとも地震地域情報と震度情報とを含む地震情報を管理装置に備える地震情報取得手段により取得し、該地震情報から、管理装置が管理をしている画像形成装置のうち地震地域にある画像形成装置を装置特定手段により特定し、特定された画像形成装置に対し前記管理装置により地震発生時における遠隔操作を行い、遠隔操作は、画像形成装置が受けた震度レベルによって変えることができ、地震検知装置を備えない個々の画像形成装置に対しても、管理装置によって地震発生時に的確な地震発生時管理を行うことができることが開示されている。
【０００５】
特許文献４には、災害に関する情報に基づいて自動的に安全確保をすることのできる画像形成装置、画像形成装置の緊急停止システム及び緊急停止プログラムを提供することを課題とし、災害に関する情報を受信する受信手段（結合器）と、所定の記録媒体に対する画像形成処理を実行する画像形成手段（処理系、機械系）と、当該受信手段が前記災害に関する情報を受信した場合に、前記画像形成処理を所定の手順で停止させる停止手段（プリンタ制御部）とを備えることが開示されている。
【０００６】
特許文献５には、画像形成装置を、地震発生時に管理装置によって的確に管理して、内部情報の漏洩や不測の事態の発生を防止することを課題とし、振動を検知する振動検知手段と、異常振動検知時に装置の制御を行う制御手段と、装置内部に保持する内部情報を記憶させる取外し可能な外部記憶手段とを備えるので、異常振動検知時に内部情報を取り外し可能な外部記憶手段に待避させることができ、内部情報の保持を確実に行うことができ、その後、元の画像形成装置に内部情報を復帰させたり他所の画像形成装置に内部情報を取り込んだりすることができ、また、内部情報を待避させた後に、装置内部の内部情報を消去したり、認証手段などにより保護したりすることで、内部情報が外部に漏洩するのを防止できることが開示されている。
【先行技術文献】
【特許文献】
【０００７】
【特許文献１】特開２００９−１７１１９９号公報
【特許文献２】特開２００９−０７２９２２号公報
【特許文献３】特開２００７−０１８２９８号公報
【特許文献４】特開２００９−２３０４３６号公報
【特許文献５】特開２００７−０２７８６２号公報
【発明の概要】
【発明が解決しようとする課題】
【０００８】
本発明は、緊急時に出力された用紙が放置されてしまうことを防止するようにした画像処理装置及び画像処理プログラムを提供することを目的としている。
【課題を解決するための手段】
【０００９】
かかる目的を達成するための本発明の要旨とするところは、次の各項の発明に存する。
請求項１の発明は、画像の出力指示を受け付ける受付手段と、前記受付手段によって受け付けられた出力指示を行った操作者を示す操作者情報と該出力指示の対象である出力対象情報を対応付けて記憶手段に記憶させるように処理する第１の記憶処理手段と、前記受付手段によって受け付けられた出力指示に基づいて、画像を出力する出力手段と、緊急時であるか否かを検知する緊急時検知手段と、前記出力手段によって出力が開始された後に、前記緊急検知手段によって緊急時であることが検知された場合は、該出力手段による出力を停止するように制御する制御手段と、前記出力手段により出力された枚数を前記操作者情報と前記出力対象情報に対応付けて前記記憶手段に記憶させるように処理する第２の記憶処理手段と、前記出力手段によって出力された用紙を画像処理装置内に取り込む取込手段を具備することを特徴とする画像処理装置である。
【００１０】
請求項２の発明は、前記出力手段によって出力が完了したときから予め定められた期間を過ぎた後に、該出力された用紙が、該出力された用紙を受ける出力用紙受部から排除されているか否かを検知する用紙検知手段をさらに具備し、前記用紙検知手段によって用紙が排除されていないと検知された場合は、前記第２の記憶処理手段と前記取込手段による処理を行うことを特徴とする請求項１に記載の画像処理装置である。
【００１１】
請求項３の発明は、操作者を認証する認証手段と、前記認証手段によって認証された操作者の操作者情報が前記記憶手段に記憶されている場合は、前記取込手段によって取り込まれた用紙を排出する排出手段と、前記第２の記憶処理手段によって記憶された情報に基づいて、前記操作者情報に対応して前記記憶手段に記憶された出力対象情報を前記出力手段に出力させるように制御する第２の制御手段を具備することを特徴とする請求項１又は２に記載の画像処理装置である。
【００１２】
請求項４の発明は、コンピュータを、画像の出力指示を受け付ける受付手段と、前記受付手段によって受け付けられた出力指示を行った操作者を示す操作者情報と該出力指示の対象である出力対象情報を対応付けて記憶手段に記憶させるように処理する第１の記憶処理手段と、前記受付手段によって受け付けられた出力指示に基づいて、画像を出力する出力手段と、緊急時であるか否かを検知する緊急時検知手段と、前記出力手段によって出力が開始された後に、前記緊急検知手段によって緊急時であることが検知された場合は、該出力手段による出力を停止するように制御する制御手段と、前記出力手段により出力された枚数を前記操作者情報と前記出力対象情報に対応付けて前記記憶手段に記憶させるように処理する第２の記憶処理手段と、前記出力手段によって出力された用紙を画像処理装置内に取り込む取込手段として機能させるための画像処理プログラムである。
【発明の効果】
【００１３】
請求項１の画像処理装置によれば、緊急時に出力された用紙が放置されてしまうことを防止することができる。
【００１４】
請求項２の画像処理装置によれば、出力が完了したときから予め定められた期間を過ぎた後に、用紙が放置されてしまうことを防止することができる。
【００１５】
請求項３の画像処理装置によれば、認証を受けた操作者は、画像処理装置内に取り込まれた用紙を取り出すことができる。
【００１６】
請求項４の画像処理プログラムによれば、緊急時に出力された用紙が放置されてしまうことを防止することができる。
【図面の簡単な説明】
【００１７】
【図１】本実施の形態の構成例についての概念的なモジュール構成図である。
【図２】本実施の形態による処理例を示すフローチャートである。
【図３】本実施の形態による処理例を示すフローチャートである。
【図４】出力停止状態テーブルのデータ構造例を示す説明図である。
【図５】本実施の形態（出力モジュール、出力用紙取込モジュール）による処理例を示す説明図である。
【図６】本実施の形態による処理例を示すフローチャートである。
【図７】本実施の形態を実現するコンピュータのハードウェア構成例を示すブロック図である。
【発明を実施するための形態】
【００１８】
以下、図面に基づき本発明を実現するにあたっての好適な一実施の形態の例を説明する。
図１は、本実施の形態の構成例についての概念的なモジュール構成図を示している。
なお、モジュールとは、一般的に論理的に分離可能なソフトウェア（コンピュータ・プログラム）、ハードウェア等の部品を指す。したがって、本実施の形態におけるモジュールはコンピュータ・プログラムにおけるモジュールのことだけでなく、ハードウェア構成におけるモジュールも指す。それゆえ、本実施の形態は、それらのモジュールとして機能させるためのコンピュータ・プログラム（コンピュータにそれぞれの手順を実行させるためのプログラム、コンピュータをそれぞれの手段として機能させるためのプログラム、コンピュータにそれぞれの機能を実現させるためのプログラム）、システム及び方法の説明をも兼ねている。ただし、説明の都合上、「記憶する」、「記憶させる」、これらと同等の文言を用いるが、これらの文言は、実施の形態がコンピュータ・プログラムの場合は、記憶装置に記憶させる、又は記憶装置に記憶させるように制御するという意味である。また、モジュールは機能に一対一に対応していてもよいが、実装においては、１モジュールを１プログラムで構成してもよいし、複数モジュールを１プログラムで構成してもよく、逆に１モジュールを複数プログラムで構成してもよい。また、複数モジュールは１コンピュータによって実行されてもよいし、分散又は並列環境におけるコンピュータによって１モジュールが複数コンピュータで実行されてもよい。なお、１つのモジュールに他のモジュールが含まれていてもよい。また、以下、「接続」とは物理的な接続の他、論理的な接続（データの授受、指示、データ間の参照関係等）の場合にも用いる。「予め定められた」とは、対象としている処理の前に定まっていることをいい、本実施の形態による処理が始まる前はもちろんのこと、本実施の形態による処理が始まった後であっても、対象としている処理の前であれば、そのときの状況・状態に応じて、又はそれまでの状況・状態に応じて定まることの意を含めて用いる。「予め定められた値」が複数ある場合は、それぞれ異なった値であってもよいし、２以上の値（もちろんのことながら、全ての値も含む）が同じであってもよい。また、「Ａである場合、Ｂをする」という意味を有する記載は、「Ａであるか否かを判断し、Ａであると判断した場合はＢをする」の意味で用いる。ただし、Ａであるか否かの判断が不要である場合を除く。
また、システム又は装置とは、複数のコンピュータ、ハードウェア、装置等がネットワーク（一対一対応の通信接続を含む）等の通信手段で接続されて構成されるほか、１つのコンピュータ、ハードウェア、装置等によって実現される場合も含まれる。「装置」と「システム」とは、互いに同義の用語として用いる。もちろんのことながら、「システム」には、人為的な取り決めである社会的な「仕組み」（社会システム）にすぎないものは含まない。
また、各モジュールによる処理毎に又はモジュール内で複数の処理を行う場合はその処理毎に、対象となる情報を記憶装置から読み込み、その処理を行った後に、処理結果を記憶装置に書き出すものである。したがって、処理前の記憶装置からの読み込み、処理後の記憶装置への書き出しについては、説明を省略する場合がある。なお、ここでの記憶装置としては、ハードディスク、ＲＡＭ（Ｒａｎｄｏｍ  Ａｃｃｅｓｓ  Ｍｅｍｏｒｙ）、外部記憶媒体、通信回線を介した記憶装置、ＣＰＵ（Ｃｅｎｔｒａｌ  Ｐｒｏｃｅｓｓｉｎｇ  Ｕｎｉｔ）内のレジスタ等を含んでいてもよい。
【００１９】
本実施の形態である画像処理装置は、画像を出力するものであって、図１の例に示すように、出力処理モジュール１０５、出力状況記憶モジュール１２５、緊急処理モジュール１３０、復帰処理モジュール１６０を有している。出力処理モジュール１０５は、主に通常の出力処理を行うものであり、出力指示受付モジュール１１０、出力対象記憶処理モジュール１１５、出力モジュール１２０を有している。緊急処理モジュール１３０は、緊急時の処理を行うものであり、緊急時検知モジュール１３５、出力用紙検知モジュール１４０、出力状況記憶処理モジュール１４５、出力制御モジュール１５０、出力用紙取込モジュール１５５を有している。復帰処理モジュール１６０は、緊急時以後であって、復帰時の処理（緊急時の処理の後処理）を行うものであって、取込用紙処理モジュール１６５、認証モジュール１７０、排出モジュール１７５、出力継続制御処理モジュール１８０を有している。
本実施の形態は、例えば、災害情報を検知すると、出力を停止し、既に排出してしまっている用紙に対する処理を行うものである。
【００２０】
出力指示受付モジュール１１０は、画像の出力指示を受け付ける。出力指示は、例えば、本実施の形態である画像処理装置と通信回線を介して接続されているパーソナルコンピュータ（ＰＣ：Ｐｅｒｓｏｎａｌ  Ｃｏｍｐｕｔｅｒ）等から操作者の操作（出力指示）に応じて、送信されてくる。その出力指示には、画像である出力対象情報、その出力指示を行った操作者を示す操作者情報等が含まれている。なお、操作者情報としては、本実施の形態において一意に識別できる情報であれば、いわゆるＩＤ（ＩＤｅｎｔｉｆｉｃａｔｉｏｎ）、ユーザ名等であってもよい。また、出力指示は、通信回線を介して送信されてくることの他に、本実施の形態である画像処理装置に備え付けられている操作パネル等の操作によって、受け付けられるようにしてもよい。なお、出力指示内の画像を受け付けるとは、例えば、スキャナ、カメラ等で画像を読み込むこと、ファックス等で通信回線を介して外部機器から画像を受信すること、ハードディスク（コンピュータに内蔵されているものの他に、ネットワークを介して接続されているもの等を含む）等に記憶されている画像を読み出すこと等が含まれる。画像は、２値画像、多値画像（カラー画像を含む）であってもよい。受け付ける画像は、１枚であってもよいし、複数枚であってもよい。また、画像の内容として、ビジネスに用いられる文書、広告宣伝用のパンフレット等であってもよい。
【００２１】
出力対象記憶処理モジュール１１５は、出力状況記憶モジュール１２５と接続されている。出力対象記憶処理モジュール１１５は、出力指示受付モジュール１１０によって受け付けられた出力指示を行った操作者を示す操作者情報とその出力指示の対象である出力対象情報を対応付けて出力状況記憶モジュール１２５に記憶させるように処理する。
出力モジュール１２０は、出力指示受付モジュール１１０によって受け付けられた出力指示に基づいて、画像を出力する。例えば、プリンタが画像を印刷する。また、出力判断モジュール１５０、出力継続制御処理モジュール１８０によって制御される。
【００２２】
出力状況記憶モジュール１２５は、出力対象記憶処理モジュール１１５、出力状況記憶処理モジュール１４５、復帰処理モジュール１６０と接続されている。出力状況記憶モジュール１２５は、例えば、出力停止状態テーブル４００を記憶する。図４は、出力停止状態テーブル４００のデータ構造例を示す説明図である。出力停止状態テーブル４００は、ユーザ名欄４０２、停止日時欄４０４、文書欄４０６、出力ページ数欄４０８、取込枚数欄４１０を有している。ユーザ名欄４０２は、操作者情報であるユーザ名（そのユーザのメールアドレス等であってもよい）を記憶している。停止日時欄４０４は、出力制御モジュール１５０によって出力が停止された日時（年、月、日、秒、秒以下、又はこれらの組み合わせであってもよい）を記憶している。文書欄４０６は、出力対象情報である文書又はその文書が記憶されているアドレス（ファイル名、ＵＲＬ等を含む）を記憶している。出力ページ数欄４０８は、出力が停止された状態における出力ページ数を記憶している。取込枚数欄４１０は、出力用紙取込モジュール１５５によって取り込まれた用紙の枚数を記憶している。出力対象記憶処理モジュール１１５は、ユーザ名欄４０２、文書欄４０６に記憶させ、出力状況記憶処理モジュール１４５は、停止日時欄４０４、出力ページ数欄４０８、取込枚数欄４１０に記憶させ、又は出力停止状態テーブル４００内の各情報を消去し、復帰処理モジュール１６０内の各モジュールは、出力停止状態テーブル４００を読み込み、又は出力停止状態テーブル４００内の各情報を消去する。
【００２３】
緊急時検知モジュール１３５は、緊急時であるか否かを検知する。「緊急時を検知」とは、例えば、通信回線を介して他の情報処理装置から緊急地震速報等の災害情報を受信した場合、本実施の形態である画像処理装置に備え付けられている操作パネルで、操作者の操作によって緊急時であることが指示された場合（操作パネル上の緊急時ボタンが押された場合等）、音声認識処理によって特定の言葉（例えば、「火事」、「地震」等）を認識した場合等が該当する。また、緊急時であることを示す操作（操作パネル上での操作（いわゆるジェスチャー））や音声を予め登録するようにしてもよい。
出力用紙検知モジュール１４０は、出力モジュール１２０によって出力が完了したときから予め定められた期間を過ぎた後に、その出力された用紙が、その出力された用紙を受ける出力用紙受部（例えば、後述する図５の例に示す出力用紙受部５３０）から排除されているか否かを検知する。「排除されている」とは、典型的な例としては、出力された用紙を操作者等が持ち去ることをいう。つまり、出力用紙受部に用紙がないことをいう。「排除されていない」とは、出力された用紙が予め定められた期間、放置されていることをいう。具体的には、センサー等によって、出力用紙受部に用紙があるか否かを検知する。「予め定められた期間」としては、例えば、時、分等で指定された値である。
そして、出力用紙検知モジュール１４０によって用紙が排除されていないと検知された場合は、出力状況記憶処理モジュール１４５と出力用紙取込モジュール１５５による処理を行う。
【００２４】
出力状況記憶処理モジュール１４５は、出力状況記憶モジュール１２５と接続されている。出力状況記憶処理モジュール１４５は、出力モジュール１２０による出力された枚数（出力が開始されてから緊急時に停止されるまでの間に出力された枚数）を操作者情報と出力対象情報に対応付けて出力状況記憶モジュール１２５に記憶させるように処理する。具体的には、出力停止状態テーブル４００の出力ページ数欄４０８に記憶させる。そして、停止日時を停止日時欄４０４に記憶させる。また、出力用紙取込モジュール１５５によって、出力された用紙の取り込みが行われた場合は、その取り込まれた枚数を取込枚数欄４１０に記憶させる。出力用紙検知モジュール１４０によって用紙が排除されたと検知された場合は、出力状況記憶モジュール１２５内のその出力指示に対応する情報を消去してもよい。
出力制御モジュール１５０は、出力モジュール１２０によって出力が開始された後に、緊急時検知モジュール１３５によって緊急時であることが検知された場合は、出力モジュール１２０による出力を停止するように制御する。
出力用紙取込モジュール１５５は、出力モジュール１２０によって出力された用紙を、本実施の形態である画像処理装置内に取り込む。用紙を取り込む処理とは、出力（排出）する処理と逆の処理であり、図５の例を用いて後述する。
【００２５】
復帰処理モジュール１６０は、出力状況記憶モジュール１２５と接続されている。
取込用紙処理モジュール１６５は、出力用紙取込モジュール１５５によって用紙が取り込まれている場合は、その旨を画像処理装置のパネル等の表示装置に表示する。また、出力指示を行ったが取り込まれた場合に、その出力指示を行った操作者にその旨の内容の電子メール等を送信してもよい。「出力用紙取込モジュール１５５によって用紙が取り込まれている」ことの検知は、出力状況記憶モジュール１２５によって記憶されている情報（停止日時等が記憶されているもの）があれば、出力用紙取込モジュール１５５によって用紙が取り込まれたと判断する。また、センサー等を用いて、取り込んだ用紙を格納する取込用紙格納部（例えば、後述する図５の例の取込用紙格納部５５０）内に用紙があるか否かを検知するようにしてもよい。
認証モジュール１７０は、操作者を認証する。例えば、ユーザ名とパスワードの入力を検証するようにしてもよいし、指紋、虹彩等を用いる生体認証等であってもよい。ここでの操作者は、本実施の形態である画像処理装置の操作者であって、典型的な例としては、出力指示を行ったが、出力途中で緊急時となってしまい、その出力された用紙が画像処理装置内に取り込まれてしまった場合における操作者である。
【００２６】
排出モジュール１７５は、認証モジュール１７０によって認証された操作者の操作者情報が出力状況記憶モジュール１２５に記憶されている場合は、出力用紙取込モジュール１５５によって取り込まれた用紙を排出する。「認証モジュール１７０によって認証された操作者の操作者情報が出力状況記憶モジュール１２５に記憶されている場合」とは、出力指示を行ったが、出力途中で緊急時となってしまい、その出力された用紙が画像処理装置内に取り込まれてしまった場合における操作者が、その用紙を受け取りに来た場合である。具体的には、出力状況記憶モジュール１２５に記憶されている操作者情報と認証モジュール１７０によって認証された操作者情報とが一致した場合である。
出力継続制御処理モジュール１８０は、出力状況記憶処理モジュール１４５によって記憶された情報に基づいて、操作者情報に対応して出力状況記憶モジュール１２５に記憶された出力対象情報を出力モジュール１２０に出力させるように制御する。つまり、出力停止され、出力がされなかった残りの画像（出力されたページの次のページからの画像）を出力することである。
【００２７】
図２は、本実施の形態による処理例を示すフローチャートである。主に、出力処理モジュール１０５と緊急処理モジュール１３０による処理である。
ステップＳ２０２では、出力指示受付モジュール１１０が、ユーザの操作に応じた出力指示を受け付ける。
ステップＳ２０４では、出力対象記憶処理モジュール１１５が、出力状況記憶モジュール１２５にユーザと出力対象を対応付けて記憶する。具体的には、出力停止状態テーブル４００のユーザ名欄４０２と文書欄４０６に記憶する。
ステップＳ２０６では、出力モジュール１２０が、出力対象の出力を行う。
ステップＳ２０８では、緊急時検知モジュール１３５が、緊急時であることを検知したか否かを判断し、検知した場合はステップＳ２１４へ進み、それ以外の場合はステップＳ２１０へ進む。
【００２８】
ステップＳ２１０では、出力用紙検知モジュール１４０が、出力用紙は排除されたか否かを判断し、排除された場合はステップＳ２１２へ進み、それ以外の場合はステップＳ２１６へ進む。
ステップＳ２１２では、出力状況記憶処理モジュール１４５が、出力状況記憶モジュール１２５からユーザと出力対象を消去する。取り込み処理を行う必要がないためである。
ステップＳ２１４では、出力制御モジュール１５０が、出力モジュール１２０による出力対象の出力を停止する。
ステップＳ２１６では、出力状況記憶処理モジュール１４５が、出力状況記憶モジュール１２５内に出力枚数を記憶する。
ステップＳ２１８では、出力用紙取込モジュール１５５が、出力枚数分の出力用紙を取り込む。
【００２９】
図３は、本実施の形態による処理例を示すフローチャートである。復旧時における主に復帰処理モジュール１６０による処理である。
ステップＳ３０２では、取込用紙処理モジュール１６５が、取り込んだ出力用紙があることを提示する。
ステップＳ３０４では、認証モジュール１７０が、ユーザを認証する。
ステップＳ３０６では、取込用紙処理モジュール１６５が、ユーザに対応する取り込み文書はあるか否かを判断し、ある場合はステップＳ３０８へ進み、それ以外の場合は処理を終了する（ステップＳ３９９）。
【００３０】
ステップＳ３０８では、排出モジュール１７５が、取り込み用紙を排出する。
ステップＳ３１０では、出力継続制御処理モジュール１８０が、出力途中であったか否かを出力状況記憶モジュール１２５内の情報（詳細には出力停止状態テーブル４００の出力ページ数欄４０８内の情報が最終ページではない場合は出力途中）によって判断し、出力途中であった場合はステップＳ３１２へ進み、それ以外の場合はステップＳ３１４へ進む。
ステップＳ３１２では、出力継続制御処理モジュール１８０が、出力モジュール１２０を用いて残りの出力対象を出力する。
ステップＳ３１４では、取込用紙処理モジュール１６５が、出力状況記憶モジュール１２５からユーザと出力対象を消去する。
【００３１】
図５は、本実施の形態（出力モジュール１２０、出力用紙取込モジュール１５５）による処理例を示す説明図である。
図５（ａ）に示す例は、用紙を出力する直前の状態を示している。画像処理装置５００には、対向するローラー５２０Ａ、ローラー５２０Ｂがあり、回転してその間を用紙５１０が通って出力用紙受部５３０に排出される。なお、出力用紙受部５３０は、一般的に排出トレイといわれる。そして、受部上下制御部５４０によって出力用紙受部５３０を上下に移動させる。用紙を出力する場合は、出力用紙受部５３０を下方向に移動させて、用紙５１０を受けるようにする。
図５（ｂ）に示す例は、用紙を出力している状態又は出力が完了した状態を示している。出力用紙受部５３０には、１枚以上の出力用紙５１２がある。
【００３２】
図５（ｃ）に示す例は、図５（ｂ）の例に示す状態から緊急時であることが検知されて、出力用紙５１２を画像処理装置５００内部に取り込む処理を示している。出力用紙取込モジュール１５５は、受部上下制御部５４０を制御して、出力用紙受部５３０を上方向に移動させる。つまり、出力用紙５１２をローラー５２０Ａとローラー５２０Ｂの間に移動させるための処理である。そして、ローラー５２０Ａとローラー５２０Ｂを出力とは逆方向に回転（ローラー５２０Ａを時計回り、ローラー５２０Ｂを反時計回り）させ、出力用紙受部５３０上にある出力用紙５１２を画像処理装置５００内部に取り込む。つまり、用紙の出力と反対の処理を行うようにする。
図５（ｄ）に示す例は、取り込み処理が完了した状態を示している。つまり、出力用紙受部５３０内の出力用紙５１２全てを画像処理装置５００内の取込用紙格納部５５０に収めた状態を示している。なお、取込用紙格納部５５０として、給紙部（一般的に給紙トレイともいわれる）を用いてもよい。そして、用紙の大きさに合わせて給紙部が複数ある場合は、出力用紙５１２の大きさに合わせて給紙部を選択する。用紙を出力した後に給紙部の取り替えがあった場合等のように、給紙部に合わない用紙がある場合は、その用紙よりも大きい給紙部を選択する。複数の取込用紙格納部５５０がある場合は、出力状況記憶モジュール１２５に、用紙を取り込んだ取込用紙格納部５５０を一意に識別する情報（取込用紙格納部５５０のＩＤ）を記憶させるようにしてもよい。そして、排出モジュール１７５は、取込用紙格納部５５０のＩＤを用いて、取込用紙格納部５５０を選択して、その中の用紙を排出する。
【００３３】
図６は、本実施の形態による処理例を示すフローチャートである。
ステップＳ６０２では、出力指示受付モジュール１１０が、ユーザの操作に応じた出力指示を受け付ける。
ステップＳ６０４では、出力対象記憶処理モジュール１１５が、出力状況記憶モジュール１２５にユーザと出力対象を対応付けて記憶する。具体的には、出力停止状態テーブル４００のユーザ名欄４０２と文書欄４０６に記憶する。
ステップＳ６０６では、出力モジュール１２０が、出力対象の出力を行う。
ステップＳ６０８では、緊急時検知モジュール１３５が、緊急時であることを検知したか否かを判断し、検知した場合はステップＳ６１４へ進み、それ以外の場合はステップＳ６１０へ進む。
【００３４】
ステップＳ６１０では、出力用紙検知モジュール１４０が、出力用紙は排除されたか否かを判断し、排除された場合はステップＳ６１２へ進み、それ以外の場合はステップＳ６１６へ進む。
ステップＳ６１２では、出力状況記憶処理モジュール１４５が、出力状況記憶モジュール１２５からユーザと出力対象を消去する。取り込み処理を行う必要がないためである。
ステップＳ６１４では、出力制御モジュール１５０が、出力モジュール１２０による出力対象の出力を停止する。
ステップＳ６１６では、出力状況記憶処理モジュール１４５が、出力状況記憶モジュール１２５内に出力枚数を記憶する。
【００３５】
ステップＳ６１８では、出力用紙取込モジュール１５５が、ユーザ又は文書の重要度は予め定めた閾値以上であるか否かを判断し、予め定めた閾値以上である場合はステップＳ６２０へ進み、それ以外の場合は処理を終了する（ステップＳ６９９）。例えば、ユーザと重要度を対応させて記憶しているユーザ重要度テーブル、文書とその重要度を対応させて記憶している文書重要度テーブルを予め用意しておき、出力停止状態テーブル４００内にあるユーザ又は文書から、そのユーザ重要度テーブル、文書重要度テーブルを用いて、ユーザ又は文書の重要度を抽出し、その重要度を予め定めた閾値と比較することによって判断する。また、出力対象である文書の文書名が予め定められた名称（例えば、「重要」という用語）を含んでいる場合は、予め定めた閾値以上であると判断してもよい。また、ユーザと役割（例えば、課長、グループリーダー等）を対応させて記憶しているユーザ役割テーブルを予め用意しておき、出力停止状態テーブル４００内にあるユーザから、そのユーザ役割テーブルを用いて、ユーザの役割を抽出し、その役割が予め定めた役割であるか否かを判断するようにしてもよい。また、ユーザとそのユーザが属しているグループ（例えば、対策本部等）を対応させて記憶しているユーザグループ対応テーブルを予め用意しておき、出力停止状態テーブル４００内にあるユーザから、そのユーザグループ対応テーブルを用いて、ユーザが属しているグループを抽出し、そのグループが予め定めたグループであるか否かを判断するようにしてもよい。
ステップＳ６２０では、出力用紙取込モジュール１５５が、出力枚数分の出力用紙を取り込む。
【００３６】
なお、前述の例では、出力用紙受部５３０が１つの場合を示して説明したが、複数の出力用紙受部５３０があってもよい。
例えば、文書の重要度で排出先の出力用紙受部５３０を変更する設定としておいて、緊急時は予め定められた出力用紙受部５３０にある排出用紙（つまり予め定められた値以上の重要度の排出用紙）を取り込むようにしてもよい。
例えば、ユーザ別に排出先の出力用紙受部５３０を変更する設定としておいて、緊急時は予め定められた出力用紙受部５３０にある排出用紙（つまりユーザに対応した排出用紙）を取り込むようにしてもよい。
【００３７】
また、復旧後、取り込んだ用紙が予め定められた期間、残っている場合（排出されていない場合）、出力状況記憶モジュール１２５内の操作者情報を用いて、その操作者に対してその旨の電子メール等を送信するようにしてもよい。また、電子メール内には、その用紙を廃棄してもよいか否かについても記載しておき、返信の電子メールを言語解析（単なる文章のパターンマッチングも含む）して、「その用紙を廃棄してもよい」との返信である場合は、本実施の形態の画像処理装置の管理者に電子メール等で通知するようにしてもよい。その管理者は、その電子メール等を受信した場合は、取り込まれた出力用紙を廃棄する。
【００３８】
図７を参照して、本実施の形態の画像処理装置のハードウェア構成例について説明する。図７に示す構成は、例えばパーソナルコンピュータ（ＰＣ：Ｐｅｒｓｏｎａｌ  Ｃｏｍｐｕｔｅｒ）などによって構成されるものであり、スキャナ等のデータ読み取り部７１７と、プリンタなどのデータ出力部７１８を備えたハードウェア構成例を示している。
【００３９】
ＣＰＵ（Ｃｅｎｔｒａｌ  Ｐｒｏｃｅｓｓｉｎｇ  Ｕｎｉｔ）７０１は、前述の実施の形態において説明した各種のモジュール、すなわち、出力指示受付モジュール１１０、出力対象記憶処理モジュール１１５、出力モジュール１２０、緊急時検知モジュール１３５、出力用紙検知モジュール１４０、出力状況記憶処理モジュール１４５、出力制御モジュール１５０、出力用紙取込モジュール１５５、取込用紙処理モジュール１６５、認証モジュール１７０、排出モジュール１７５、出力継続制御処理モジュール１８０等の各モジュールの実行シーケンスを記述したコンピュータ・プログラムにしたがった処理を実行する制御部である。
【００４０】
ＲＯＭ（Ｒｅａｄ  Ｏｎｌｙ  Ｍｅｍｏｒｙ）７０２は、ＣＰＵ７０１が使用するプログラムや演算パラメータ等を格納する。ＲＡＭ（Ｒａｎｄｏｍ  Ａｃｃｅｓｓ  Ｍｅｍｏｒｙ）７０３は、ＣＰＵ７０１の実行において使用するプログラムや、その実行において適宜変化するパラメータ等を格納する。これらはＣＰＵバスなどから構成されるホストバス７０４により相互に接続されている。
【００４１】
ホストバス７０４は、ブリッジ７０５を介して、ＰＣＩ（Ｐｅｒｉｐｈｅｒａｌ  Ｃｏｍｐｏｎｅｎｔ  Ｉｎｔｅｒｃｏｎｎｅｃｔ／Ｉｎｔｅｒｆａｃｅ）バスなどの外部バス７０６に接続されている。
【００４２】
キーボード７０８、マウス等のポインティングデバイス７０９は、操作者により操作される入力デバイスである。ディスプレイ７１０は、液晶表示装置又はＣＲＴ（Ｃａｔｈｏｄｅ  Ｒａｙ  Ｔｕｂｅ）などがあり、各種情報をテキストやイメージ情報として表示する。
【００４３】
ＨＤＤ（Ｈａｒｄ  Ｄｉｓｋ  Ｄｒｉｖｅ）７１１は、ハードディスクを内蔵し、ハードディスクを駆動し、ＣＰＵ７０１によって実行するプログラムや情報を記録又は再生させる。ハードディスクには、出力対象である受け付けた画像、出力停止状態テーブル４００などが格納される。さらに、その他の各種のデータ処理プログラム等、各種コンピュータ・プログラムが格納される。
【００４４】
ドライブ７１２は、装着されている磁気ディスク、光ディスク、光磁気ディスク、又は半導体メモリ等のリムーバブル記録媒体７１３に記録されているデータ又はプログラムを読み出して、そのデータ又はプログラムを、インタフェース７０７、外部バス７０６、ブリッジ７０５、及びホストバス７０４を介して接続されているＲＡＭ７０３に供給する。リムーバブル記録媒体７１３も、ハードディスクと同様のデータ記録領域として利用可能である。
【００４５】
接続ポート７１４は、外部接続機器７１５を接続するポートであり、ＵＳＢ、ＩＥＥＥ１３９４等の接続部を持つ。接続ポート７１４は、インタフェース７０７、及び外部バス７０６、ブリッジ７０５、ホストバス７０４等を介してＣＰＵ７０１等に接続されている。通信部７１６は、通信回線に接続され、外部とのデータ通信処理を実行する。データ読み取り部７１７は、例えばスキャナであり、ドキュメントの読み取り処理を実行する。データ出力部７１８は、例えばプリンタであり、ドキュメントデータの出力処理を実行する。また、前述の用紙の取込処理、排出処理を行う。
【００４６】
なお、図７に示す画像処理装置のハードウェア構成は、１つの構成例を示すものであり、本実施の形態は、図７に示す構成に限らず、本実施の形態において説明したモジュールを実行可能な構成であればよい。例えば、一部のモジュールを専用のハードウェア（例えば特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ：ＡＳＩＣ）等）で構成してもよく、一部のモジュールは外部のシステム内にあり通信回線で接続しているような形態でもよく、さらに図７に示すシステムが複数互いに通信回線によって接続されていて互いに協調動作するようにしてもよい。また、複写機、ファックス、スキャナ、プリンタ、複合機（スキャナ、プリンタ、複写機、ファックス等のいずれか２つ以上の機能を有している画像処理装置）などに組み込まれていてもよい。
【００４７】
なお、説明したプログラムについては、記録媒体に格納して提供してもよく、また、そのプログラムを通信手段によって提供してもよい。その場合、例えば、前記説明したプログラムについて、「プログラムを記録したコンピュータ読み取り可能な記録媒体」の発明として捉えてもよい。
「プログラムを記録したコンピュータ読み取り可能な記録媒体」とは、プログラムのインストール、実行、プログラムの流通などのために用いられる、プログラムが記録されたコンピュータで読み取り可能な記録媒体をいう。
なお、記録媒体としては、例えば、デジタル・バーサタイル・ディスク（ＤＶＤ）であって、ＤＶＤフォーラムで策定された規格である「ＤＶＤ−Ｒ、ＤＶＤ−ＲＷ、ＤＶＤ−ＲＡＭ等」、ＤＶＤ＋ＲＷで策定された規格である「ＤＶＤ＋Ｒ、ＤＶＤ＋ＲＷ等」、コンパクトディスク（ＣＤ）であって、読出し専用メモリ（ＣＤ−ＲＯＭ）、ＣＤレコーダブル（ＣＤ−Ｒ）、ＣＤリライタブル（ＣＤ−ＲＷ）等、ブルーレイ・ディスク（Ｂｌｕ−ｒａｙ  Ｄｉｓｃ（登録商標））、光磁気ディスク（ＭＯ）、フレキシブルディスク（ＦＤ）、磁気テープ、ハードディスク、読出し専用メモリ（ＲＯＭ）、電気的消去及び書換可能な読出し専用メモリ（ＥＥＰＲＯＭ（登録商標））、フラッシュ・メモリ、ランダム・アクセス・メモリ（ＲＡＭ）、ＳＤ（Ｓｅｃｕｒｅ  Ｄｉｇｉｔａｌ）メモリーカード等が含まれる。
そして、前記のプログラム又はその一部は、前記記録媒体に記録して保存や流通等させてもよい。また、通信によって、例えば、ローカル・エリア・ネットワーク（ＬＡＮ）、メトロポリタン・エリア・ネットワーク（ＭＡＮ）、ワイド・エリア・ネットワーク（ＷＡＮ）、インターネット、イントラネット、エクストラネット等に用いられる有線ネットワーク、あるいは無線通信ネットワーク、さらにこれらの組み合わせ等の伝送媒体を用いて伝送させてもよく、また、搬送波に乗せて搬送させてもよい。
さらに、前記のプログラムは、他のプログラムの一部分であってもよく、あるいは別個のプログラムと共に記録媒体に記録されていてもよい。また、複数の記録媒体に分割して
記録されていてもよい。また、圧縮や暗号化など、復元可能であればどのような態様で記録されていてもよい。
【符号の説明】
【００４８】
１０５…出力処理モジュール
１１０…出力指示受付モジュール
１１５…出力対象記憶処理モジュール
１２０…出力モジュール
１２５…出力状況記憶モジュール
１３０…緊急処理モジュール
１３５…緊急時検知モジュール
１４０…出力用紙検知モジュール
１４５…出力状況記憶処理モジュール
１５０…出力制御モジュール
１５５…出力用紙取込モジュール
１６０…復帰処理モジュール
１６５…取込用紙処理モジュール
１７０…認証モジュール
１７５…排出モジュール
１８０…出力継続制御処理モジュール
５００…画像処理装置
５１０…用紙
５１２…出力用紙
５２０Ａ…ローラー
５２０Ｂ…ローラー
５３０…出力用紙受部
５４０…受部上下制御部
５５０…取込用紙格納部
【図１】
2014107768.tif 000003
【図２】
2014107768.tif 000004
【図３】
2014107768.tif 000005
【図４】
2014107768.tif 000006
【図５】
2014107768.tif 000007
【図６】
2014107768.tif 000008
【図７】
2014107768.tif 000009